(57)【特許請求の範囲】
【請求項１】
キャビネットが、背面板と、背面板の前側を覆う前面パネルとに分離可能とされ、前記前面パネル及び前記背面板のいずれか一方の部材の内面に係合爪が形成され、他方の部材の内面に前記係合爪が係合する爪受部が形成され、前記係合爪は、前記一方の部材の内面に設けられた基部と、前記基部から前記爪受部に延びる腕部と、前記腕部の先端側に形成されて前記爪受部に係止する爪部とを有し、前記爪受部は、前記他方の部材の端縁から段差部を介して前記一方の部材側に突出するように形成され、前記係合爪が前記爪受部に係合した状態で、前記前面パネルの後端縁と前記背面板の前端縁とが突き合わされて接合され、前記一方の部材の表面において、前記一方の部材を挟んで前記基部と相対向する位置に押圧部が形成され、前記押圧部を手指で押圧することにより、前記一方の部材を内面側に弾性変形させて前記係合爪を前記爪受部から離脱させるようにしたことを特徴とする空気調和機。
【請求項２】
キャビネットが、背面板と、背面板の前側を覆う前面パネルとに分離可能とされ、前記前面パネル及び前記背面板のいずれか一方の部材の内面に係合爪が形成され、他方の部材の内面に前記係合爪が係合する爪受部が形成され、前記係合爪は、前記一方の部材の内面に設けられた基部と、前記基部から前記爪受部に延びる腕部と、前記腕部の先端側に形成されて前記爪受部に係止する爪部とを有し、前記爪受部が前記他方の部材から前記一方の部材側に突出するように形成され、前記一方の部材の表面において、前記一方の部材を挟んで前記基部と相対向する位置に押圧部が形成され、前記係合爪が前記爪受部に係合した状態で前記押圧部を押圧したときに、前記一方の部材が内面側に弾性変形して前記係合爪が前記爪受部から離脱したところで前記一方の部材が前記爪受部に接触し、それ以上の前記一方の部材の弾性変形を規制するようにしたことを特徴とする空気調和機。
【請求項３】
前記爪受部が前記他方の部材から前記一方の部材側に突出するように形成され、前記係合爪が前記爪受部に係合した状態で前記押圧部を押圧したときに、前記一方の部材が内面側に弾性変形して前記係合爪が前記爪受部から離脱したところで前記一方の部材が前記爪受部に接触し、それ以上の前記一方の部材の弾性変形を規制することを特徴とする請求項１記載の空気調和機。
【請求項４】
前記係合爪が前記前面パネルの下面に形成され、前記爪受部が前記背面板の下面に形成されたことを特徴とする請求項１〜３のいずれかに記載の空気調和機。
【発明の詳細な説明】
【技術分野】
【０００１】
本発明は、キャビネットが、背面板と、その前側を覆う前面パネルとに分離可能な構造を有する空気調和機に関するものである。
【背景技術】
【０００２】
従来、背面板と、その前側を覆う前面パネルとに分離可能なキャビネットを有する空気調和機として、例えば、特許文献１に示す構造のものが知られている。上記空気調和機においては、外箱（背面板）と、前面パネルとを係脱自在とするために、外箱から前方に突出する前パネル係合片係止用の係止爪を設け、前パネルの後部縁に、外箱に向かって係止爪の支持腕を弾性変形させるための押付片を配設している。
【０００３】
上記構成において、前パネルを外箱から取り外す場合には、前パネルの下方を手前に持ち上げることにより、前パネルの押付片が係止爪の支持腕を押し下げ、係止爪が弾性変形して係合片より下がって係合が外れるようになっている。
【先行技術文献】
【特許文献】
【０００４】
【特許文献１】特開平６−２２１６０８号公報
【発明の概要】
【発明が解決しようとする課題】
【０００５】
上記構成の空気調和機では、前パネルを手前に持ち上げる際、前パネルの縁部が支点となって、押付片に力が作用する。しかしながら、上記構成においては、前パネルを持ち上げる力点から支点までの距離に比べて、支点から押付片（作用点）までの距離が極端に短い。従って、上記構造に不案内な使用者が前パネルを持ち上げる場合、少しの力の感覚でも押付片に作用する力は非常に大きなものとなる。また、前パネルを外箱から外す際に、いきなり前パネルが外れると、押付片に一気に力がかかることになる。これらのような場合には、押付片が容易に破損するというおそれがあった。
【０００６】
そこで、本発明においては、上記に鑑み、キャビネットが、背面板と、その前側を覆う前面パネルとに分離可能な構造であって、前面パネルの取り外し操作による部材の変形や破損の発生を抑制可能で、しかも美観を損なうことのない空気調和機を提供することを目的とする。
【課題を解決するための手段】
【０００７】
上記目的を達成するため、本発明に係る空気調和機は、キャビネットが、背面板と、背面板の前側を覆う前面パネルとに分離可能とされ、前記前面パネル及び前記背面板のいずれか一方の部材の内面に係合爪が形成され、他方の部材の内面に前記係合爪が係合する爪受部が形成され、前記係合爪は、前記一方の部材の内面に設けられた基部と、前記基部から前記爪受部に延びる腕部と、前記腕部の先端側に形成されて前記爪受部に係止する爪部とを有し、前記一方の部材の表面において、前記一方の部材を挟んで前記基部と相対向する位置に押圧部が形成され、前記押圧部を手指で押圧することにより、前記一方の部材を内面側に弾性変形させて前記係合爪を前記爪受部から離脱させるようにしたことを特徴とする。
【０００８】
本発明では、係合爪を弾性変形させて爪受部に対して係合離脱させるのではなく、係合爪が形成される部材（前面パネル又は背面板）を弾性変形させることによって係合爪を爪受部に対して係合離脱させるようにしている。したがって、係合爪を弾性変形させる必要がないことから、係合爪の剛性を高く設定しておくことで、係合爪の変形や破損を防止することが可能となり、しかも係合爪及び爪受部は外部から見えないため美観を損なうことがない。
【０００９】
すなわち、係合爪を爪受部に対して係合離脱させるには、爪部を爪受部に対して所定距離だけ相対的に移動させることが必要となる。その際に、基部によって片持ち支持された係合爪の腕部を押圧するよりも、一方の部材の表面の一部を押圧するほうが押圧力を分散させることができる。したがって、一方の部材の表面に形成した押圧部を押圧しても、押圧部が変形したり破損することを防止することができる。
【００１０】
さらに、係合爪の剛性をより高めるために、係合爪の弾性変形を抑制する補強リブを形成することも可能であり、これにより、係合爪の変形や破損の危険性をより低減することができる。
【００１１】
押圧部は、一方の部材の内面に形成された係合爪の基部と同じ位置になるように、一方の部材の表面に形成される。すなわち、押圧部は、一方の部材の一部に形成され、手指で押圧したときに内面側に弾性変形可能な程度の弾性を有していることが必要とされる。なお、一方の部材の表面には押圧部の位置を特定できる表示を設けておくのが好ましい。この表示は、一方の部材の表面に文字や記号を印刷したり、凹凸を形成することによって視認できるようにすればよい。
【００１２】
上記空気調和機においては、爪受部が前記他方の部材から前記一方の部材側に突出するように形成され、前記係合爪が前記爪受部に係合した状態で前記押圧部を押圧したときに、前記一方の部材の弾性変形量が所定量に達したところで前記一方の部材が前記爪受部に接触し、それ以上の前記一方の部材の弾性変形を規制するような構成とすることも可能である。
【００１３】
なお、上記所定量の弾性変形量とは、一方の部材を内面側に弾性変形させたときに、爪部が爪受部から離脱するのに必要な変形量を意味する。すなわち、爪部が爪受部から離脱するのに必要な量だけ一方の部材が弾性変形すればよく、それ以上の変形を規制することによって、押圧部を押す力が強すぎた場合でも、一方の部材が変形したり破損することを防止することが可能となる。
【００１４】
また、係合爪を前面パネルの下面に形成し、爪受部を背面板の下面に形成すれば、係合爪に前面パネルの自重がかかり、爪部を爪受部に向かって付勢することができる。これにより、係合爪を爪受部に係合させた状態では、爪部が爪受部に確実に係止されるため不用意に前面パネルが外れるのを防止することができる。さらに、前面パネル側に係合爪を設ければ、押圧部を押圧した手でそのまま前面パネルを前方に引き出すことで１操作で背面板から前面パネルを取り外すことができる。
【発明の効果】
【００１５】
以上のとおり、本発明によると、背面板及び前面パネルのいずれか一方の部材の内面に爪部を有する係合爪を形成し、他方の部材の内面に爪部が係合する爪受部を形成し、一方の部材の表面において、一方の部材を挟んで係合爪の基部と相対向する位置に、爪部の係合を解除する押圧部を形成したため、前面パネルの取り外し操作が簡単確実で係合爪の変形や破損のおそれがなく、しかも美観を損なうことのない空気調和機を提供することが可能となる。
【図面の簡単な説明】
【００１６】
【図１】本発明の実施形態を示す空気調和機の室内機の斜視図
【図２】図１の背面板を上方から見た斜視図
【図３】図１の前面パネルを上方から見た斜視図
【図４】図２の一部拡大図
【図５】図３の一部拡大図
【図６】図１のＡ−Ａ断面図
【図７】図６の一部拡大図
【図８】図７の係合爪を反対側からみた断面図
【発明を実施するための形態】
【００１７】
以下、図面に基づいて本発明の実施の形態を説明する。図１は、空気調和機の室内機を下方から見た外観斜視図であり、図２は図１の背面板を上方から見た外観斜視図を、図３は図１の前面パネルを上方から見た外観斜視図を、図４は図２の一部拡大図を、図５は図３の一部拡大図を、図６は図１のＡ−Ａ断面図をそれぞれ示す。
【００１８】
図１〜図３及び図６に示すように、室内機は、熱交換器１及びファン２を備え、これらがキャビネット３に内装されている。キャビネット３の天面に吸込口４が形成され、キャビネット３の前面下部に吹出口５が形成される。キャビネット３の内部には、吸込口４から吹出口５に至る空気通路６が形成されており、この空気通路６に熱交換器１とファン２とが配設される。
【００１９】
吸込口４と熱交換器１との間にはフィルタ７が配され、吸込口４から吸い込んだ室内の空気から塵埃を除去する。吹出口５の前面には導風パネル８が回動自在に取り付けられており、吹出口５から吹き出す風の向きを上下方向に変更可能とされている。導風パネル８の上流側に、縦ルーバ９が設けられる。縦ルーバ９は左右方向に回動する。縦ルーバ９により、左右方向の風向きが変えられる。
【００２０】
空気調和機では、室内機に対して図示しない室外機が室外に設置されている。室外機には、圧縮機、熱交換器、四方弁、室外ファン等が内装され、これらと室内側の熱交換器１とによって冷凍サイクルが形成される。そして、冷凍サイクルを制御する制御装置が室内機に設けられる。マイコンからなる制御装置は、ユーザの指示及び室外や外気温を検出する温度センサ等の各種のセンサの検出信号に基づいて、冷凍サイクルを制御し、冷暖房運転を行う。このとき、制御装置は、冷暖房運転に応じて、ファンモータの駆動及び導風パネル８の開閉を制御する。
【００２１】
図２及び図３に示すように、キャビネット３は、背面板１０と、背面板１０の前側を覆う前面パネル１１とに分離可能とされる。図６に示すように、前面パネル１１の前面上部にはフィルタ７を出し入れするための開口１２が形成されており、この開口１２を覆う前カバー１３が前面パネル１１に対して着脱自在に取り付けられる。
【００２２】
本実施形態では、図２〜図８に示すように、前面パネルの下面１１ａの内面端部に係合爪１４が形成され、背面板の下面１０ａの内面端部に爪受部１５が形成される。係合爪１４は、前面パネルの下面１１ａの内面上に突設される基部１６と、基部１６に連設され、爪受部１５に延びる腕部１７と、腕部１７の先端側に形成されて爪受部に係止する爪部１８とを有している。なお、係合爪１４を室内機の側方からみたときの形状は略Ｌ字状とされる。
【００２３】
また、本実施形態では、係合爪１４の剛性を高めて係合爪１４の弾性変形を抑制する補強リブ１９，２０が形成される。補強リブ１９は、基部１６において、腕部１７が延びる側とは逆の側で前面パネルの下面１１ａとの間に形成され、腕部１７にかかる負荷によって基部１６が変形するのを押しとどめるように機能する。また、補強リブ２０は、基部１６において、腕部１７が延びる側で腕部１７から前面パネルの下面１１ａにわたって形成され、腕部１７にかかる負荷によって腕部１７や基部１６が変形するのをひきとどめるように機能する。補強リブ１９及び２０により、係合爪１４の変形を低減することができる。
【００２４】
前面パネル下面１１ａの表面には、前面パネル下面１１ａを挟んで基部１６と相対向する位置に押圧部２１が形成される。この位置に押圧部２１を形成することで、効率よく爪部１８を上方に押し上げて爪受部１５から離脱させることが可能となる。押圧部２１は、その位置を特定できるような表示（文字や記号等）を、印刷や、凹凸により形成することができる。
【００２５】
爪受部１５は、背面板の下面１０ａの前端縁から前面パネル１１側に突出するように形成される。爪受部１５は、背面板の下面１０ａと同一平面上を前面パネル１１側に突出形成されるのではなく、図７に示すように、段差部２２を設けて背面板の下面１０ａよりも内方位置（本実施形態では上方位置）から前面パネル１１側に向かって突出形成される。
【００２６】
上記構成により、爪受部１５が前面パネルの下面１１ａに接触することなく、係合爪１４と爪受部１５とを係合させることができる。そして、係合爪１４が爪受部１５に係合した状態で、爪受部１５はその一部が前面パネルの下面１１ａにオーバーラップすることになる。このとき、前面パネルの下面１１ａの後端部と、爪受部１５との間の距離を調整して、押圧部２１を押圧して爪部１８が爪受部から離脱したところで前面パネルの下面１１ａが爪受部１５に接触するようにする。
【００２７】
これにより、押圧部を押圧する力が強すぎた場合でも、爪部１８が爪受部１５から離脱したところで、前面パネルの下面１１ａが爪受部１５に接触してそれ以上の押圧部２１の弾性変形を規制することができ、押圧部２１が変形したり破損することを防止することができる。
【００２８】
上記構成の室内機において、背面板１０に前面パネル１１を装着する場合は、先ず、背面板の上面１０ｂの前端縁に形成されたフック部２３に、前面パネルの上面１１ｂの後端に形成された、吸込口のグリルを構成する横桟２４を引っ掛ける。そして、フック部２３を中心にして前面パネル１１の下部を背面板１０側に回動させることで、係合爪１４が爪受部１５に係合して背面板１０に前面パネル１１が装着される。前面パネル１１を背面板１０から取り外す場合は、押圧部２１を押圧して係合爪１４を爪受部１５から離脱させた状態で、前面パネル１１の下部を前方に引き出すようにすればよい。
【符号の説明】
【００２９】
１    熱交換器
２    ファン
３    キャビネット
４    吸込口
５    吹出口
６    空気通路
７    フィルタ
８    導風パネル
９    縦ルーバ
１０    背面板
１１    前面パネル
１２    開口
１３    前カバー
１４    係合爪
１５    爪受部
１６    基部
１７    腕部
１８    爪部
１９    補強リブ
２０    補強リブ
２１    押圧部
２２    段差部
２３    フック部
２４    横桟
【図１】
0006309701.tif 000002
【図２】
0006309701.tif 000003
【図３】
0006309701.tif 000004
【図４】
0006309701.tif 000005
【図５】
0006309701.tif 000006
【図６】
0006309701.tif 000007
【図７】
0006309701.tif 000008
【図８】
0006309701.tif 000009